(57)【特許請求の範囲】
【請求項１】
ガスバーナの燃焼を制御する燃焼制御部と、リモートコントローラとの通信を行う通信制御部と、リモートコントローラの認識を行う認識部と、を有するメインコントローラを備え、
前記通信制御部は、通信速度が異なる複数の通信方式の呼び出し信号を順に送信し、
前記認識部は、いずれかの通信方式の呼び出し信号に応じた応答信号を前記通信制御部が受信した場合、当該応答信号に対応する通信速度のリモートコントローラが接続されていると認識する構成であり、
前記通信制御部は、第１のデータ構成であり且つ第１の通信方式であることを示す第１の特定情報を含む第１の応答要求情報を前記第１の通信方式且つ第１の通信速度で送信し、
前記認識部は、前記通信制御部が前記第１の通信方式で前記第１の応答要求情報を送信した後にリモートコントローラから応答情報が返ってきた場合にはリモートコントローラとの間で行う通信方式を前記第１の通信方式で確定し、
前記通信制御部は、前記第１の応答要求情報を送信した後にリモートコントローラから応答情報がない場合には第２のデータ構成であり且つ第２の通信方式であることを示す第２の特定情報を含む第２の応答要求情報を前記第２の通信方式且つ第２の通信速度で送信し、
前記認識部は、前記通信制御部が前記第２の通信方式で前記第２の応答要求情報を送信した後にリモートコントローラから応答情報が返ってきた場合にはリモートコントローラとの間で行う通信方式を前記第２の通信方式で確定し、
前記燃焼制御部は、通信速度が異なる前記複数の通信方式の呼び出し信号を前記通信制御部がそれぞれ送信した場合において前記通信制御部がいずれの通信方式に対応する応答信号も受信しなかった場合、固定温度の湯を出湯する燃焼制御を行う
給湯装置。
【請求項２】
前記通信制御部は、通信速度が異なる前記複数の通信方式の呼び出し信号を、通信速度が速い信号から順に送信する請求項１に記載の給湯装置。
【請求項３】
前記第１のデータ構成は、データが固定長とされたデータ構成であり、
前記第２のデータ構成は、データが可変長とされたデータ構成である
請求項１又は請求項２に記載の給湯装置。
【発明の詳細な説明】
【技術分野】
【０００１】
本発明は、リモートコントローラを備えた給湯装置に関するものである。
【背景技術】
【０００２】
従来から提供されている給湯装置として、メインコントローラを有する給湯機器本体と、外部のリモートコントローラとを備えた構成のものが知られている。この種の給湯装置は、リモートコントローラにおいて、出湯温度の設定や自動湯張り等の諸機能を実行するための様々なキーや、キー操作に応じた表示等を行う表示部などが設けられており、例えば、リモートコントローラの各種キーに対してなされた操作に応じて、メインコントローラが給湯装置本体内の諸制御（例えば出湯温の調整等）を行う構成となっている。
【０００３】
例えば、特許文献１には、リモコン２０と給湯器本体１０を備えた給湯器が開示されており、この給湯器では、リモコン２０の温度設定スイッチ２２に対する外部からの設定操作に応じて、温度設定テーブルに基づく設定温度が選択され、リモコン２０の表示部２３に表示される。更に、リモコン２０の温度設定制御回路２１により給湯器本体１０側の給湯制御回路１２に対して設定温度信号が送信され、これにより給湯温度が確定し、給湯器本体１０にて給湯制御が行われる。
【先行技術文献】
【特許文献】
【０００４】
【特許文献１】特開平８−３０３８５３号公報
【発明の概要】
【発明が解決しようとする課題】
【０００５】
ところで、従来から提供されている給湯装置では、リモートコントローラ側からメインコントローラ側へ送信される情報は、各種キーの入力情報を示すデータなどであり、メインコントローラ側からリモートコントローラ側からへ送信される情報は、給湯装置の状況等を示すデータなどであった。つまり、リモートコントローラとメインコントローラとの間では、比較的データ量が少ない情報が送受信されるため、高速通信を行う必要性が低く、長い間、低速通信が採用されてきた。
【０００６】
しかし、近年では、給湯装置本体内のメインコントローラに、ガス使用量や使用水量などの各種使用履歴を蓄積し、必要に応じてリモートコントローラにエネルギー消費量の推移を表示させるといった、ユーザの満足度を高めるための高機能化が進展しつつある。これに伴い、リモートコントローラとメインコントローラとの間で送受信されるデータ量も増大化する傾向にある。このような傾向により、現在では、リモートコントローラ及びメインコントローラの両方を高速通信可能な設計とし、大量のデータをより迅速に送受信することが求められることもある。
【０００７】
但し、リモートコントローラとメインコントローラとの間で行われるデータ通信は、高速通信が必須というわけではなく、低速通信で事足りる場合も多い。例えば、給湯装置にエネルギー消費量を表示する機能などは、給湯装置の本質的機能から外れた付加的な機能であるため、このような機能を省略しても支障が生じない場合も多い。このため、このような機能を導入するよりも、機能を抑えて装置コストを低減することが望まれる場合もある。
【０００８】
このように、メインコントローラがリモートコントローラと通信を行う場合、通信相手となるリモートコントローラは、低速通信仕様である場合もあれば、高速通信仕様である場合もありうる。しかし、通信相手となるリモートコントローラの仕様が複数種類想定されるからといって、それぞれに対応させるように異なる仕様のメインコントローラを別々に準備・管理すると、管理負担の増大やコストの増大が避けられない。
【０００９】
本発明は、上述した課題を解決するためになされたものであり、相対的に速い速度で通信を行い得るリモートコントローラ、及び相対的に遅い速度で通信を行うリモートコントローラのいずれとも円滑に通信を行い得る給湯装置を提供することを目的とするものである。
【課題を解決するための手段】
【００１０】
本発明の給湯装置は、
ガスバーナの燃焼を制御する燃焼制御部と、リモートコントローラとの通信を行う通信制御部と、リモートコントローラの認識を行う認識部と、を有するメインコントローラを備え、
前記通信制御部は、通信速度が異なる複数の通信方式の呼び出し信号を順に送信し、
前記認識部は、いずれかの通信方式の呼び出し信号に応じた応答信号を前記通信制御部が受信した場合、当該応答信号に対応する通信速度のリモートコントローラが接続されていると認識する。
【００１１】
本発明は、通信速度が異なる複数の通信方式の呼び出し信号を順に送信し得る通信制御部を備えており、いずれかの通信方式の呼び出し信号に応じた応答信号を通信制御部が受信した場合、認識部は、当該応答信号に対応する通信速度のリモートコントローラが接続されていると認識する。この構成では、通信制御部が送信し得るいずれかの通信方式に応答し得るリモートコントローラが接続されれば、候補とされる複数の通信方式の中から接続されたリモートコントローラに適した通信方式を自動的に選択し、その通信方式で通信できるようになる。
【００１２】
つまり、給湯装置に接続されたリモートコントローラが相対的に速い速度で通信を行い得るリモートコントローラであれば、相対的に速い速度の通信方式を自動的に選択し、その通信方式で円滑に通信を行うことができる。或いは、給湯装置に接続されたリモートコントローラが相対的に遅い速度で通信を行い得るリモートコントローラであれば、相対的に遅い速度の通信方式を自動的に選択し、その通信方式で円滑に通信を行うことができる。
【００１３】
本発明において、通信制御部は、通信速度が異なる複数の通信方式の呼び出し信号を、通信速度が速い信号から順に送信する構成であってもよい。
【００１４】
通信速度の高速化に伴い、相対的に速い速度の通信方式が採用されやすくなっており、その傾向はより顕著になる可能性が高い。よって通信速度が速い信号から順に送信する方法を用いれば、早期に認識が完了する可能性が高まる。
【００１５】
本発明において、燃焼制御部は、通信速度が異なる複数の通信方式の呼び出し信号を通信制御部がそれぞれ送信した場合において通信制御部がいずれの通信方式に対応する応答信号も受信しなかった場合、固定温度の湯を出湯する燃焼制御を行う構成であってもよい。
【００１６】
この構成によれば、リモートコントローラが接続されていない場合、或いは候補となる通信方式に対応していないリモートコントローラが接続されている場合であっても、給湯機能を完全に停止させたり、不安定な給湯がなされてしまったりすることを防ぐことができ、予め決められた固定温度での安定的な給湯が可能となる。
【図面の簡単な説明】
【００１７】
【図１】図１は、実施例１に係る給湯装置を例示する概略回路図である。
【図２】図２は、実施例１に係る給湯装置を構成するコントローラ及びリモートコントローラを概略的に例示するブロック図である。
【図３】図３は、実施例１の給湯装置で行われる認識処理を例示するフローチャートである。
【図４】（Ａ）は、通信方式１で用いられるデータ構造を概念的に例示する概念図であり、（Ｂ）は、通信方式２で用いられるデータ構造を概念的に例示する概念図である。
【発明を実施するための形態】
【００１８】
＜実施例１＞
以下、発明の一例を示す実施例１について、図面を参照して説明する。
（基本構成）
図１で示す給湯装置１は、浴槽への給湯機能と浴槽内の水の加熱機能とを備えた風呂・給湯システムとして構成され、給湯側回路２と風呂側回路３とを備えている。給湯側回路２は、入水管１２、出湯管１０、ガスバーナ４、熱交換器６（給湯側熱交換器）などを備えており、外部から供給された水道水を加熱し出湯させる経路として機能する。風呂側回路３は、ガスバーナ５４（風呂バーナ）、熱交換器５６（風呂側熱交換器）、配管６６、循環ポンプ６２、サーミスタ６４，６５などを備え、風呂の追い炊き等に利用される。
【００１９】
給湯側回路２において、入水管１２は、水入口１６からの水が流れ込む経路として構成され、出湯管１０は、出湯口１８へ湯を送り出す経路として構成されている。ガスバーナ（給湯バーナ）４は、燃焼ガスを燃焼させて燃焼排気を発生させる部分であり、熱交換器６は、通水管（入水管１２、伝熱管８ａ、配管２０、伝熱管７ａ、出湯管１０によって構成される管路）の途中の位置に設けられ、通水管の内部を通る水に対してガスバーナ４での燃焼によって生じた熱を伝えるように機能する部分である。熱交換器６のうち、一次熱交換器７は、給湯燃焼室９０内においてガスバーナ４の燃焼排気経路の上流側に配置され、二次熱交換器８は、給湯燃焼室９０内において燃焼排気経路の下流側に配置されている。
【００２０】
給湯側回路２では、二次熱交換器８の入口に、水道水を供給する構成で入水管１２が接続されている。そして、この入水管１２には、入水管１２を通る水の温度（即ち、通水管に導入された水の温度）を検出する入水温検出部としてのサーミスタ２５と、入水管１２内の通水量（即ち、通水管を流れる水の量）を検出する通水量検出部としての水量センサ３４とが設けられている。そして、入水管１２の下流側には、二次熱交換器８の伝熱管８ａが接続されており、その下流側には、二次熱交換器８の伝熱管８ａと一次熱交換器７の伝熱管７ａとを連結する配管２０が接続される。更に、この配管２０に連結された構成で一次熱交換器７の伝熱管７ａが接続され、一次熱交換器７の出口には、一次熱交換器７で加熱された湯を出湯する構成で出湯管１０が接続されている。そして、この出湯管１０には、出湯管１０内の水の温度を検出するサーミスタ２６が設けられている。
【００２１】
熱交換器６は、一次熱交換器７によって燃焼排気の顕熱を回収した後、二次熱交換器８によって潜熱を回収するように機能する。具体的には、一次熱交換器７は、一次熱交換器７内の通水経路となる伝熱管７ａを備えており、伝熱管７ａ内を通る水に対してガスバーナ４で発生した燃焼排気に含まれる燃焼熱を伝熱し、顕熱の熱エネルギーを通水に伝達する形で熱交換する。また、二次熱交換器８は、二次熱交換器８内の通水経路となる伝熱管８ａを備えており、伝熱管８ａ内を通る水に対し、ガスバーナ４で発生した燃焼排気が一次熱交換器７を通過した後の燃焼熱を伝熱し、潜熱の熱エネルギーを通水に伝達するように熱交換する。
【００２２】
また、入水管１２と出湯管１０との間をバイパスする通水経路として、熱交換器６とは異なる通水経路として構成されたバイパス路１４が設けられている。そして、このバイパス路１４には、バイパス路１４の通水を遮断した閉塞状態と、この閉塞状態よりも開度を増大させた開放状態とに移行可能なバイパス弁３２が設けられている。入水管１２において、バイパス路１４が連結する分岐位置よりも上流側には、通水量制御弁３３が設けられている。この通水量制御弁３３は、メインコントローラ２２からの指示を受けて駆動軸の回転角度が制御されるモータを備えており、入水管１２を閉塞状態と全開状態との間で様々な開度に連続的に変更できる構成となっている。
【００２３】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。また、ガスバーナ５４（風呂バーナ）に接続されるガス管からの分岐管には、切替電磁弁５３が設けられている。
【００２４】
風呂側回路３において、配管６６は、浴槽６０側からの水を熱交換器５６側へと導くための往き配管６８と、熱交換器５６側からの水を浴槽６０側へと導くための戻り配管６７と、往き配管６８と戻り配管６７とに連結されて熱交換器５６内を通る中間配管６９とを備える。この配管６６は、例えば追い炊き動作時に浴槽６０から引き込まれる水を往き配管６８によって熱交換器５６に導き、この熱交換器５６を通過した水を戻り配管６７によって浴槽６０に導くように循環させる循環経路として機能する。熱交換器５６は、風呂一次熱交換器５７と風呂二次熱交換器５８とを備え、配管６６を通る水に対してガスバーナ５４（風呂バーナ）での燃焼によって生じた燃焼熱を伝達するように、循環水を加熱する構成となっている。往き配管６８は、浴槽６０と風呂一次熱交換器５７との間に配置されており、この往き配管６８には、往き配管６８を通る水の温度を検出するサーミスタ６５（風呂サーミスタ）が設けられている。
【００２５】
戻り配管６７は、風呂二次熱交換器５８と浴槽６０との間に配置され、この戻り配管６７には、循環ポンプ６２とサーミスタ６４（風呂サーミスタ）とが設けられている。循環ポンプ６２は、配管６６内の水を流動させる装置であり、熱交換器５６側から水を引き込み、引き込んだ水を熱交換器５６とは反対側から浴槽６０に向けて排出するように機能する。また、戻り配管６７には、出湯管１０から分岐された落とし込み管７０が接続されており、この落とし込み管７０には、給湯用電磁弁７２及び落とし込み水量センサ７４が設けられている。そして、落とし込み管７０に設けられた給湯用電磁弁７２を開弁させることで、給湯側回路２で加熱された湯を浴槽６０へ供給することが可能となっている。
【００２６】
また、給湯装置１には、図１、図２で示すように制御装置としてのメインコントローラ２２が設けられている。図２で示すように、メインコントローラ２２には、例えば、公知のマイクロコンピュータ等として構成される制御部２２Ａと、公知の半導体メモリ等として構成されるメモリ２２Ｂと、外部との通信を行うためのインタフェースとして構成される通信部２２Ｃとが設けられている。このメインコントローラ２２は、給湯側回路２や風呂側回路３に設けられた様々なセンサからの信号を取得可能に構成されており、給湯側回路２や風呂側回路３に設けられた様々なアクチュエータを制御し得る構成となっている。
【００２７】
図２のように、メインコントローラ２２には、複数のリモートコントローラ８０がメインコントローラ２２と通信し得る構成で接続されている。図１、図２の例では、複数のリモートコントローラ８０として、浴室内に設けられる第１リモートコントローラ８１と、浴室とは異なる場所（例えば台所等）に設けられる第２リモートコントローラ８２とが設けられている。
【００２８】
図２のように、第１リモートコントローラ８１は、公知のマイクロコンピュータ等として構成される制御部８１Ａと、液晶表示装置等として構成される表示部８１Ｂと、押圧ボタン等の公知のスイッチが複数設けられてなる操作部８１Ｃと、リモートコントローラ８１で生成された信号等をメインコントローラ２２に伝達するための通信部８１Ｄとを備えている。第２リモートコントローラ８２も、公知のマイクロコンピュータ等として構成される制御部８２Ａと、液晶表示装置等として構成される表示部８２Ｂと、押圧ボタン等の公知のスイッチが複数設けられてなる操作部８２Ｃと、リモートコントローラ８２で生成された信号等をメインコントローラ２２に伝達するための通信部８２Ｄとを備えている。なお、第１リモートコントローラ８１及び第２リモートコントローラ８２では、様々な設定、指示が可能となっており、例えば、第１リモートコントローラ８１でも、第２リモートコントローラ８２でも、操作によって給湯温度を入力し設定することができる。それ以外にも、風呂温度、ふろ湯量、湯張り開始指示、追い炊き指示、モード切替など、様々な操作が可能となっている。
【００２９】
（認識処理）
給湯装置１は、メインコントローラ２２の制御部２２Ａにより、図３で示す認識処理を行う。制御部２２Ａは、所定の開始条件の成立時（例えば給湯装置１の電源投入時など）に図３の認識処理を開始する。ここでは、メインコントローラ２２に対して第１リモートコントローラ８１のみが接続されている場合の認識処理を代表的に説明するが、第２リモートコントローラ８２が接続されている場合も同様に認識処理を行うことができる。
【００３０】
図３の認識処理の開始後、まず、タイマー（通信タイマー１）による時間計測を開始する（Ｓ１）。そして、第１通信方式（通信方式１）を用い、第１リモートコントローラ８１に対して応答要求情報を、第１の通信速度で送信する（Ｓ２）。Ｓ２で送信する応答要求情報は、例えば、図４（Ａ）のようなデータ構成であり、予め定められた固定長とされ、データ内には、第１通信方式であることを示す第１の特定情報と、応答を指示する第１の指示コマンドとを含んでいる。
【００３１】
リモートコントローラ８０は、第１通信方式で通信し得るリモートコントローラが用いられていてもよく、第２通信方式で通信し得るリモートコントローラが用いられていてもよい。
【００３２】
第１リモートコントローラ８１として、第１通信方式で通信し得るリモートコントローラが用いられている場合、第１リモートコントローラ８１は、第１通信方式で送信された応答要求情報を受信したときに、所定の応答信号を送信するようになっている。具体的には、通信相手から受信した情報の中から第１の特定情報と第１の指示コマンドとが特定できた場合、第１通信方式（通信方式１）を用い、通信相手に対して応答情報を第１の通信速度で送信するようになっている。この応答情報は、例えば、第１通信方式であることを示す第１の特定情報と、第１の指示コマンドに対する応答である旨を示す第１の応答コマンドとを含んでいる。第２リモートコントローラ８２も、第１通信方式で通信し得るリモートコントローラが用いられている場合には同様となる。
【００３３】
第１リモートコントローラ８１として、第２通信方式で通信し得るリモートコントローラが用いられている場合、第１リモートコントローラ８１は、第２通信方式で送信された応答要求情報を受信したときに、所定の応答信号を送信するようになっている。具体的には、通信相手から受信した情報の中から第２の特定情報（第１の特定情報とは異なる情報であり、第２通信方式であることを示す情報）と第２の指示コマンドとが特定できた場合、第２通信方式（通信方式２）を用い、通信相手に対して応答情報を第２の通信速度で送信するようになっている。この応答情報は、例えば、第２通信方式であることを示す第２の特定情報と、第２の指示コマンドに対する応答である旨を示す第２の応答コマンドとを含んでいる。なお、第２の通信速度は、第１の通信速度よりも遅い速度である。第２リモートコントローラ８２も、第２通信方式で通信し得るリモートコントローラが用いられている場合には同様となる。
【００３４】
図３の処理では、Ｓ２において第１リモートコントローラ８１に対して第１通信方式（通信方式１）で応答要求情報を送信した場合、第１リモートコントローラ８１から応答情報の送信があった否かを判断する（Ｓ３）。第１通信方式（通信方式１）での応答要求情報に対し、第１リモートコントローラ８１から応答情報の送信が無い場合には、Ｓ３にてＹＥＳに進み、Ｓ１で計測を開始したタイマ（通信タイマ１）が所定時間に達したか否かを判断する（Ｓ４）。Ｓ１で計測を開始したタイマ（通信タイマ１）が所定時間に達していなければＳ４にてＮＯに進み、Ｓ２以降の処理を行う。
【００３５】
Ｓ２において第１リモートコントローラ８１に対して第１通信方式（通信方式１）で応答要求情報を送信した後、Ｓ１で計測を開始したタイマ（通信タイマ１）が所定時間に達する前に第１リモートコントローラ８１から応答情報が返ってきた場合、Ｓ３にてＮＯに進み、メインコントローラ２２と第１リモートコントローラ８１との間で行う通信方式を第１通信方式（通信方式１）で確定し（Ｓ５）、図３の処理を終了する。この場合、メインコントローラ２２と第１リモートコントローラ８１との間では、第１通信方式（通信方式１）により、第１の通信速度で通信を行うことになる。
【００３６】
Ｓ２において第１リモートコントローラ８１に対して第１通信方式（通信方式１）で応答要求情報を送信した後、Ｓ１で計測を開始したタイマ（通信タイマ１）が所定時間に達するまでに第１リモートコントローラ８１から応答情報が返ってこなかった場合、Ｓ４にてＹＥＳに進む。
【００３７】
Ｓ４でＹＥＳに進む場合、タイマー（通信タイマー２）による時間計測を開始する（Ｓ６）。そして、第２通信方式（通信方式２）を用い、第１リモートコントローラ８１に対して応答要求情報を、第２の通信速度で送信する（Ｓ７）。Ｓ７で送信する応答要求情報は、例えば、図４（Ｂ）のようなデータ構成であり、データの先頭にスタート信号が存在し、データの終わりにストップ信号が存在し、スタート信号とストップ信号の間のデータ長は可変長とされる。また、第２通信方式の応答要求情報のデータ内には、第２通信方式であることを示す第２の特定情報と、応答を指示する第２の指示コマンドとを含んでいる。
【００３８】
図３の処理では、Ｓ７において第１リモートコントローラ８１に対して第２通信方式（通信方式２）で応答要求情報を送信した場合、第１リモートコントローラ８１から応答情報の送信があった否かを判断する（Ｓ８）。第２通信方式（通信方式２）での応答要求情報に対し、第１リモートコントローラ８１から応答情報の送信が無い場合には、Ｓ８にてＹＥＳに進み、Ｓ６で計測を開始したタイマ（通信タイマ２）が所定時間に達したか否かを判断する（Ｓ９）。Ｓ６で計測を開始したタイマ（通信タイマ２）が所定時間に達していなければＳ９にてＮＯに進み、Ｓ７以降の処理を行う。
【００３９】
Ｓ７において第１リモートコントローラ８１に対して第２通信方式（通信方式２）で応答要求情報を送信した後、Ｓ６で計測を開始したタイマ（通信タイマ２）が所定時間に達する前に第１リモートコントローラ８１から応答情報が返ってきた場合、Ｓ８にてＮＯに進み、メインコントローラ２２と第１リモートコントローラ８１との間で行う通信方式を第２通信方式（通信方式２）で確定し（Ｓ１０）、図３の処理を終了する。この場合、メインコントローラ２２と第１リモートコントローラ８１との間では、第２通信方式（通信方式２）により、第２の通信速度で通信を行うことになる。
【００４０】
Ｓ７において第１リモートコントローラ８１に対して第２通信方式（通信方式２）で応答要求情報を送信した後、Ｓ６で計測を開始したタイマ（通信タイマ２）が所定時間に達するまでに第１リモートコントローラ８１から応答情報が返ってこなかった場合、Ｓ９にてＹＥＳに進む。Ｓ９でＹＥＳに進む場合、メインコントローラ２２をリモコンレスモードに設定する。リモコンレスモードに設定された場合、リモートコントローラ８０で設定されるべき内容を予め定められたデフォルト設定とする。例えば、給湯温度を予め定められた固定温度（例えば４０℃）とし、給湯モードを予め定められた通常モードとする。つまり、リモコンレスモードで設定されている場合、メインコントローラ２２は、出湯口１８の開放に伴って通水がなされる場合に、通常モードで固定温度（例えば４０℃）のお湯を出湯するように給湯側回路２を制御する。
【００４１】
本構成では、制御部２２Ａ及び通信部２２Ｃが通信制御部の一例に相当し、図３のような認識処理を行う場合に、通信速度が異なる複数の通信方式の呼び出し信号（応答要求信号）を、通信速度が速い信号から順に送信するように機能する。
【００４２】
本構成では、制御部２２Ａがリモートコントローラの認識を行う認識部の一例に相当し、いずれかの通信方式の呼び出し信号に応じた応答信号を通信制御部が受信した場合、当該応答信号に対応する通信速度のリモートコントローラが接続されていると認識するように機能する。
【００４３】
制御部２２Ａは、ガスバーナ４の燃焼を制御する燃焼制御部の一例に相当し、通信速度が異なる複数の通信方式の呼び出し信号を通信制御部がそれぞれ送信した場合において通信制御部がいずれの通信方式に対応する応答信号も受信しなかった場合、固定温度の湯を出湯する燃焼制御を行うように機能する。
【００４４】
以上のように、本構成では、通信速度が異なる複数の通信方式の呼び出し信号を順に送信し得る通信制御部を備えており、いずれかの通信方式の呼び出し信号に応じた応答信号を通信制御部が受信した場合、認識部は、当該応答信号に対応する通信速度のリモートコントローラが接続されていると認識する。この構成では、通信制御部が送信し得るいずれかの通信方式に応答し得るリモートコントローラが接続されれば、候補とされる複数の通信方式の中から接続されたリモートコントローラに適した通信方式を自動的に選択し、その通信方式で通信できるようになる。
【００４５】
つまり、給湯装置１に接続されたリモートコントローラ８０が相対的に速い速度で通信を行い得るリモートコントローラであれば、相対的に速い速度の通信方式を自動的に選択し、その通信方式で円滑に通信を行うことができる。或いは、給湯装置１に接続されたリモートコントローラが相対的に遅い速度で通信を行い得るリモートコントローラであれば、相対的に遅い速度の通信方式を自動的に選択し、その通信方式で円滑に通信を行うことができる。
【００４６】
本構成では、通信制御部は、通信速度が異なる複数の通信方式の呼び出し信号を、通信速度が速い信号から順に送信する構成となっている。通信速度の高速化に伴い、相対的に速い速度の通信方式が採用されやすくなっており、その傾向はより顕著になる可能性が高い。よって通信速度が速い信号から順に送信する方法を用いれば、早期に認識が完了する可能性が高まる。
【００４７】
本構成では、燃焼制御部は、通信速度が異なる複数の通信方式の呼び出し信号を通信制御部がそれぞれ送信した場合において通信制御部がいずれの通信方式に対応する応答信号も受信しなかった場合、固定温度の湯を出湯する燃焼制御を行う構成となっている。この構成によれば、リモートコントローラが接続されていない場合、或いは候補となる通信方式に対応していないリモートコントローラが接続されている場合であっても、給湯機能を完全に停止させたり、不安定な給湯がなされてしまったりすることを防ぐことができ、予め決められた固定温度での安定的な給湯が可能となる。
【００４８】
＜他の実施例＞
上述した実施例には、様々な変更を加えてもよく、様々な構成を付加してもよい。以下、他の実施例を簡単に説明する。
【００４９】
上述した実施例では、リモートコントローラ８０として２つ設けられていたが、１つのみであってもよく、３以上存在してもよい。
【００５０】
上述した実施例では、給湯装置１として、給湯側回路２と風呂側回路３を備えた風呂・給湯システムを例示したが、風呂側回路３を有さない構成であってもよい。
【００５１】
上述した実施例では、候補となる通信方式が２つであったが、通信速度の異なる３以上の通信方式を用いてもよい。
【００５２】
図３の認識処理の説明では、メインコントローラ２２によって第１リモートコントローラ８１との間で行うべき通信方式を認識する例を示したが、同様の方法で、メインコントローラ２２によって第２リモートコントローラ８２との間で行うべき通信方式を認識してもよい。
この場合、メインコントローラ２２は、複数のリモートコントローラのそれぞれに適用すべき通信方式をそれぞれ個別に特定し、特定された通信方式でそれぞれのリモートコントローラと通信を行うようにしてもよい。
或いは、メインコントローラ２２は、複数のリモートコントローラのうち、いずれかのリモートコントローラに対してのみ図３の認識処理を行い、いずれかとの通信で特定された通信方式を全てのリモートコントローラに適用してもよい。
メインコントローラ２２は、複数のリモートコントローラのうち、いずれかのリモートコントローラに対して図３の認識処理を行い、当該リモートコントローラとの間で行うべき通信方式を特定した場合において、他のリモートコントローラに対して、図３の認識処理を行っても、候補となるいずれの通信方式でも応答情報が得られなかった場合、他のリモートコントローラとの間で通信を行わず、通信方式が特定されたリモートコントローラとの間でのみ通信を行うようにしてもよい。
メインコントローラ２２は、複数のリモートコントローラの全てに対して図３の認識処理を行い、いずれのリモートコントローラからも応答情報が得られなかった場合、Ｓ１１と同様に、リモコンレスモードに設定すればよい。
【符号の説明】
【００５３】
１…給湯装置
４，５４…ガスバーナ（バーナ）
２２…メインコントローラ
２２Ａ…制御部（燃焼制御部、通信制御部、認識部）
２２Ｃ…通信部（通信制御部）
【図１】
0006655368.tif 000002
【図２】
0006655368.tif 000003
【図３】
0006655368.tif 000004
【図４】
0006655368.tif 000005